(57)【要約】【課題】  相手側ファクシミリ装置の送信待ち時間を短縮する。【解決手段】  通信制御部７の送受部１１は、まず相手側ファクシミリ装置からの送信端末識別信号を受信する。判定部１３は、送信端末識別信号から国際電話番号を抽出し、番号記憶部１２に記憶された国際電話番号と一致するかを判定する。一致するとき、送受部１１は続けて対象信号の受信を行う。一致しないとき、送受部１１は対象信号を受信しないまま受信動作を終了する。これによって、送信待ち時間を短縮することができる。また、通信制御部７，８で同時に対象信号が受信されたとき、回線選択部９は、番号記憶部１２，１５に記憶された国際電話番号と送信端末識別信号から抽出された国際電話番号とが一致する側であるいずれか一方の通信制御部で受信された対象信号を、いずれか他方の通信制御部で受信された対象信号に先立って、画像出力部５に与えて記録紙に印刷させる。【選択図】      図１
2006067629.tif 000002
【特許請求の範囲】
【請求項１】
送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷する印刷手段とを含み、
前記印刷手段は、前記判定手段によって前記識別信号が一致すると判定されたとき、前記対象信号を複数回繰返し印刷することを特徴とする通信機。
【請求項２】
送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷可能な印刷手段とを含み、
前記印刷手段は、前記判定手段によって前記識別信号が一致すると判定されたとき、前記対象信号を両面印刷することを特徴とする通信機。
【請求項３】
送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷する印刷手段と、
印刷後の記録紙を１部ずつ綴じ処理可能なステープル手段とを含み、
前記ステープル手段は、前記判定手段によって前記識別信号が一致すると判定されたとき、前記印刷手段による前記対象信号の印刷後に１部ずつ綴じ処理することを特徴とする通信機。
【発明の詳細な説明】
【技術分野】
【０００１】
本発明は、複数の公衆回線が接続され、回線を切換えて信号の送受を行うことができる通信機に関する。
【背景技術】
【０００２】
従来、ファクシミリ装置には、公衆回線が１回線だけ収容されていた。公衆回線は、このファクシミリ装置から相手側ファクシミリ装置に向かって画像信号を送信する動作、および相手側ファクシミリ装置から送信された画像信号をこのファクシミリ装置で受信する動作のどちらか一方を行うときに占有されるので、両動作のうちのいずれか一方の動作を実施するとき、両動作のうちのいずれか他方の動作を実施することは困難である。したがって、ファクシミリ装置が画像信号の送信または受信を行っている間、送受の相手側ファクシミリ装置以外の他のファクシミリ装置は、このファクシミリ装置に対して画像信号を送信することができない。ゆえに、上述の場合、他のファクシミリ装置の送信待ち時間が長くなっていた。
【０００３】
単一のファクシミリ装置によって画像信号の送受を並列に実施するために、単一のファクシミリ装置に複数の公衆回線を収容することが考えられている。この従来技術として、特許文献１と特許文献２とのファクシミリ装置が挙げられる。特許文献１のファクシミリ装置では、いわゆる同報通信によって、同じ画像信号を複数のファクシミリ装置に送信する。このとき、ファクシミリ装置に収容された全回線が同時に画像信号の送信に使用されることを防止するために、各送信先への送信動作を、予め定める時間だけずらして開始する。また特許文献２のファクシミリ装置では、収容した複数の回線を、回線の使用率に応じて、送信動作に用いる回線と受信動作に用いる回線とに振分ける。このように、複数の公衆回線を収容したファクシミリ装置では、収納された全回線が同時に使用されないようにしていたが、全回線に不特定多数の受信が集中したとき全回線が同時に使用されるので、送信待ちの状態が続いていた。
【０００４】
【特許文献１】特開平４−２３６７３号公報
【特許文献２】特開平５−２１９２７５号公報
【発明の開示】
【発明が解決しようとする課題】
【０００５】
本発明の目的は、ファクシミリ装置を含む通信機において、操作手順を簡略化し、また送信待ち時間を含み通信に要する時間を短縮することができる通信機を提供することである。
【課題を解決するための手段】
【０００６】
本発明は、送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷する印刷手段とを含み、
前記印刷手段は、前記判定手段によって前記識別信号が一致すると判定されたとき、前記対象信号を複数回繰返し印刷することを特徴とする通信機である。
【０００７】
また本発明は、送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷可能な印刷手段とを含み、
前記印刷手段は、前記判定手段によって前記識別信号が一致すると判定されたとき、前記対象信号を両面印刷することを特徴とする通信機である。
これによって、対象信号を印刷する記録紙の消費量を削減することができる。
【０００８】
また本発明は、送受するべき対象信号を送信する相手側通信機を識別するための識別信号を受信する受信手段と、
予め定める相手側通信機の識別信号を記憶する記憶手段と、
前記記憶手段に記憶された識別信号と前記受信手段によって受信された識別信号とが一致するか否かを判定する判定手段と、
前記対象信号を記録紙に印刷する印刷手段と、
印刷後の記録紙を１部ずつ綴じ処理可能なステープル手段とを含み、
前記ステープル手段は、前記判定手段によって前記識別信号が一致すると判定されたとき、前記印刷手段による前記対象信号の印刷後に１部ずつ綴じ処理することを特徴とする通信機である。
【０００９】
このように処理することによって、従来技術のようにファクシミリ装置によって対象信号が印刷された記録紙を複写機でさらに複写して必要な部数の書類を作成するような動作を、自動的に実施することができる。したがって、対象信号の送信元に応じて、自動的に書類の作成手法を変更することができる。
【発明の効果】
【００１０】
以上のように本発明によれば、送信機は、相手側送信機の識別信号と予め定める識別信号とが一致するとき、対象信号を両面印刷することを特徴とする。したがって、対象信号を印刷する記録紙の消費量を削減することができる。
【００１１】
さらにまた本発明によれば、送信機は、相手側送信機の識別信号と予め定める識別信号とが一致するとき、対象信号を複数回繰返し印刷することを特徴とする。
【００１２】
さらにまた本発明は、送信機は、相手側送信機の識別信号と予め定める識別信号とが一致するとき、対象信号を印刷した後に１部ずつ綴じ処理することを特徴とする。
【００１３】
このように処理することによって、従来技術のようにファクシミリ装置によって対象信号が印刷された記録紙を複写機でさらに複写して必要な部数の書類を作成するような動作を、自動的に実施することができる。したがって、対象信号の送信元に応じて、自動的に書類の作成手法を変更することができる。
【発明を実施するための最良の形態】
【００１４】
図１は、本発明の第１実施形態の通信機であるファクシミリ装置１の概略的な電気的構成を表すブロック図である。このファクシミリ装置１は、原稿を読取ってその読取り結果を印刷する複写機を兼ねる。ファクシミリ装置１は、画像読取り部３と、ファクシミリ制御部４と、画像出力部５とを含む。ファクシミリ制御部４は、公衆回線１７，１８を収納しており、通信制御部７，８と、回線選択部９と、画像記憶部１０とを含む。通信制御部７は、送受部１１と、番号記憶部１２と、判定部１３とを含む。通信制御部８は、送受部１４と、番号記憶部１５と、判定部１６とを含む。
【００１５】
画像読取り部３は、読取り対象物である原稿を読取ってその原稿像を表す画像データ信号を作成し、その画像データ信号を画像記憶部１０と画像出力部５とに与える。画像読取り部３は、ファクシミリ装置において送信対象となる原稿を読取るための読取り手段と、複写機において複写対象となる原稿を読取るための読取り手段とを兼用する。
【００１６】
通信制御部７のうちの送受部１１は、公衆回線１７と接続される。送受部１１は、ファクシミリ通信のための送信回路と受信回路とを備え、公衆回線１７を介して相手側ファクシミリ装置との間で回線を確立して、後述する伝送フェイズに基づいてファクシミリ通信を実施する。番号記憶部１２は、予め定める通信先である相手側ファクシミリ装置の国際電話番号を予め記憶する。番号記憶部１２に記憶された国際電話番号は、通信制御部７と通信を行うことが許容された予め定める相手側ファクシミリ装置を表す識別信号に相当する。判定部１３は、後述の伝送フェイズのうちのフェイズＢで送信される送信端末識別信号ＴＳＩから国際電話番号を抽出し、その国際電話番号と番号記憶部１２に記憶された国際電話番号とが一致するか否かを判定する。送受部１１は判定部１３の比較結果に応答して、両国際電話番号が一致したとき、ファクシミリ通信を続けて対象信号を受信する。両国際電話番号が一致しないとき、送受部１１は、対象信号を受信しないままファクシミリ通信を終了する。対象信号は、画像データ信号を、ファクシミリ通信の伝送方式に応じて変換した信号である。
【００１７】
通信制御部８の各部１４〜１６は、通信制御部７の各部１１〜１３と比較して、公衆回線１７が公衆回線１８に置換えられた点が異なり、他の構成および動作は等しい。また、通信制御部８は、各部１５，１６が省略されて送受部１４だけで構成されて、一般的な通信制御を行うものであってもよい。また、通信制御部７，８の各部１１〜１６は、通信制御部７，８を構成する演算回路の演算動作によって実現される仮想回路であってもよく、実在の回路であってもよい。
【００１８】
回線選択部９は、全通信制御部７，８のうちのいずれか１つを選択して、選択した通信制御部と画像記憶部１０とを接続する。これによって、選択された通信制御部で受信された対象信号が、画像記憶部１０に記憶される。また、画像読取り部３から出力されて画像記憶部１０に記憶された画像データ信号を選択した通信制御部に与えて、その選択した通信制御部の送受部で対象信号に変換して、該送受部から相手側ファクシミリ装置に送信させる。
【００１９】
さらに、回線選択部９は、通信制御部７，８で同時に対象信号が受信された場合、各判定部１３，１６の判定結果に応答して、送受部１１，１４で受信された対象信号の出力動作を切換える。たとえば、判定部１３，１６のいずれか一方の判定部で国際電話番号が一致したと判定されたとき、そのいずれか一方の判定部を含む通信制御部の送受部で受信された対象信号を、いずれか他方の判定部を含む通信制御部の送受部で受信された対象信号に先立って出力する。また、判定部１３，１６の両方で国際電話番号が一致したとき、回線選択部９は、送受部１１，１４で受信された対象信号を集約して単一の対象信号として出力し、画像記憶部１０に記憶させる。回線選択部９は、請求項の出力手段に当たる。
【００２０】
画像出力部５は、画像記憶部１０に記憶された対象信号を取得し、その対象信号を画像展開して、画像データ信号を取得する。または、画像読取り部３によって作成された画像データ信号を取得する。画像出力部５は、これら画像データ信号が表す画像を、記録紙に印刷する。またはその画像を表示装置に表示する。画像出力部５は、ファクシミリ装置において受信された画像データ信号を印刷または表示するための手段と、複写機において読取られた画像を印刷または表示するための手段とを兼用する。
【００２１】
図２は、ファクシミリ装置１の基本的な電気的および機械的構成を表すブロック図である。図３は、ファクシミリ装置１の具体的な機械的構造を表す図である。図２，３を併せて説明する。図２では、信号の流れを実線の矢符で表し、記録紙の流れを破線の矢符で表し、光を１点鎖線の矢符で表す。ファクシミリ装置１は、画像読取り部３とファクシミリ制御部４と画像出力部５との他に、操作部３０と中央制御部１０５とハンドセット１０９とを含む。
【００２２】
操作部３０は、ファクシミリ装置１の操作者がファクシミリ装置１を操作するために備えられ、たとえば、表示装置とキースイッチと警告灯を含む。表示装置には、操作のために必要な情報が表示される。操作者は、表示装置に表示された情報を参照して操作内容を決定し、それに応じてキースイッチを操作する。キースイッチの操作結果が、操作部３０からの操作結果として、ファクシミリ装置１の各部に供給される。警告灯は、ファクシミリ装置１の動作状態を操作者に知らせるときに、その動作状態に応じた所定の態様で点灯する。
【００２３】
画像読取り部３は、透明平板である原稿載置台３３、両面対応型の自動原稿送り装置３４、およびスキャナ部３５を含む。
【００２４】
原稿載置台３３は、ファクシミリ装置１の筺体１ａの鉛直方向上側の部分に、はめ込まれる。ゆえに、原稿載置台３３を通して筺体１ａ内部から外部を見ることができる。両面対応型の自動原稿送り装置３４は、原稿載置台３３の上側に配置される。自動原稿送り装置３４は、複数枚の原稿を原稿収納部３６に予め収納しておき、操作者によって指定された送給手法を用いて、原稿の片面または両面が原稿載置台３３の表面に向くように、原稿を一枚ずつ原稿載置台３３に送給する。指定された送給手法が原稿の片面だけを読取らせる手法であれば、その原稿は１回だけ原稿載置台３３に送給される。原稿の両面を読取らせる手法であれば、その原稿は１回原稿載置台３３に送給された後、面の向きを逆転させてから、原稿載置台３３に再び送給される。
【００２５】
スキャナ部３５は、発光源３７、反射鏡３８〜４０、撮像素子４２，および結像レンズ４３を含む。発光源３７は、たとえばランプリフレクタアセンブリで実現され、原稿を露光するために、原稿載置台３３に載置された原稿に向かってレーザ光を発射する。このレーザ光は、原稿載置台３３を通過して原稿表面に当たり、その原稿表面で該原稿の像の濃淡に応じた反射率で反射される。原稿からの反射光は、反射鏡３８〜４０によって順次反射されて、その光路が折曲げられる。これによって、原稿からの反射光によって表される反射光像は、折線４１で表す光路をたどって、複数の光電変換素子を含む撮像素子４２の結像面に導かれる。結像レンズ４３は、反射鏡４０と撮像素子４２との間の光路上に介在され、反射光像を、撮像素子４２の結像面上に結像させる。
【００２６】
撮像素子４２の結像面には、光電変換素子が複数並べられている。各光電変換素子は、この撮像素子で得られる画像の各画素に対応する。撮像素子４２は、結像面上に結像された反射光像を、各光電変換素子で分割して受光する。各光電変換素子は、その光電変換素子で受光した反射光の受光量に対応して、対応する画素の濃度を表す画素データを出力する。この画素データは、この段階では、反射光の受光量に比例して増減するアナログ電気信号である。全光電変換素子からの画素データの集合が、画像を表すアナログ画像信号として、撮像素子から出力される。このアナログ画像信号は、画像処理部４５に与えられる。
【００２７】
画像処理部４５は、アナログ画像信号をデジタル信号である画像データ信号に変換して記憶する。この画像データ信号は、ファクシミリ制御部４の画像記憶部１０に与えられて記憶される。さらに、画像データ信号から、原稿像を含み記録紙に印刷すべき画像を表す印刷データ信号を生成して、画像出力部５に与える。画像処理部４５の詳細な構造および動作は後述する。
【００２８】
画像出力部５は、給紙部５１、第１および第２トレイ５２，５３、手差し給紙部６６、画像形成部８１、搬送部９１、定着部９５、ソータ１００を含む。給紙部５１は、記録紙を収納するための第１および第２トレイ５２，５３に関連して設けられる。給紙部５１，第１および第２トレイ５２，５３、ならびに手差し給紙部６６は、供給部２０１を構成する。画像形成部８１と搬送部９１と定着部９５とは、印刷部２０２を構成する。
【００２９】
第１および第２トレイ５２，５３は、載置部材５４，５５をそれぞれ含む。載置部材５４，５５は、第１および第２トレイ５２，５３の鉛直方向上側に設けられ、給紙部５１側の端部が、第１および第２トレイ５２，５３の底面から離反する方向および近接する方向に角変位自在となるように、第１および第２トレイ５２，５３に取付けられる。記録紙は、この載置部材５４，５５上にその端部が載置されるように、第１および第２トレイ５２，５３に載置される。載置部材５４，５５が底面から離反する方向および近接する方向のどちらに角変位するかは、中央制御部１０５内の出力トレイ切換部１０５ａによって制御される。
【００３０】
給紙部５１は、呼込みローラ５６，５７、第１および第２案内部材５８，５９、各一対の給紙ローラ６０，６１および各一対の搬送ローラ６２，６３を含む。呼込みローラ５６，５７は、載置部材５４，５５の前記端部が底面から離反する方向に角変位された状態で前記端部に近接する位置に設けられる。第１案内部材５８は、第１および第２トレイ５２，５３の前記端部側に、ファクシミリ装置１の底面に対してほぼ垂直に設けられ、その下側端部が第２トレイ５３に近付くように弯曲する。第２案内部材５９は、第１トレイ５２の前記端部側に設けられ、その下側端部が第１トレイ５２に近付くように弯曲する。給紙ローラ６０，６１は、呼込みローラ５６，５７と各案内部材５９，５８との間に配置される。搬送ローラ６２は、第１案内部材５８のうちで給紙ローラ６１よりも上側に配置される。搬送ローラ６３は、第１および第２案内部材５８，５９の上側端部の近傍に配置される。給紙部５１の各ローラの動作は、出力トレイ切換部１０５ａによって制御される。
【００３１】
手差し給紙部６６は、記録紙を載置するための載置台６７と、呼込みローラ６８と、一対の給紙ローラ６９とを含む。載置台６７は、ファクシミリ装置１の筺体１ａの開口部に設けられて、外部から記録紙を載置することができる。この載置台６７は、筺体１ａの側面にその底面が平行になるように、筺体内１ａに収納することができ、図３では収納した状態で表す。呼込みローラ６８は載置台６７の開口部近傍に設けられる。給紙ローラ６９は、呼込みローラ６８よりも筺体１ａの内側に設けられる。手差し給紙部６６の各ローラの動作は、出力トレイ切換部１０５ａによって制御される。
【００３２】
第２トレイ５３から記録紙を供給するとき、出力トレイ切換部１０５ａは、まず載置部材５５を底面から離反する方向に角変位させる。この状態で呼込みローラ５７を回転させると、第２トレイ５３に載置された記録紙のうちで最も上方に載置された記録紙が、一対の給紙ローラ６１の間にその先端が当接するように搬送される。この状態で一対の給紙ローラ６１を回転させると、記録紙はその一対の給紙ローラ６１の間を通過して、第１案内部材５８にその先端が当接するように搬送される。先端が当接した後、記録紙は第１案内部材５８に沿って筺体１ａの鉛直方向下方から鉛直方向上方に搬送される。途中、記録紙は一対の搬送ローラ６２の間を通過し、このときにこれら搬送ローラ６２を回転させることによってさらに上方に搬送される。さらにこの記録紙は、一対の搬送ローラ６３の間を通過し、このときにこれら搬送ローラ６３を回転させることによって、画像形成部８１へと搬送される。この一連の動作によって、記録紙は曲線７１で表す搬送経路を通過して、第２トレイ５３から画像形成部８１に搬送される。
【００３３】
第１トレイ５２から記録紙を供給するとき、出力トレイ切換部１０５ａは、まず載置部材５４を底面から離反する方向に角変位させる。この状態で呼込みローラ５６を回転させると、第１トレイ５２に載置された記録紙のうちで最も上方に載置された記録紙が、一対の給紙ローラ６０の間にその先端が当接するように搬送される。この状態で一対の給紙ローラ６０を回転させると、記録紙はそれら一対の搬送ローラ６０の間を通過して、第２案内部材５９にその先端が当接するように搬送される。先端が当接した後、記録紙は第２および第１案内部材５９，５８に沿って搬送されて一対の搬送ローラ６３の間を通過する。このときこれら搬送ローラ６３を回転させることによって、記録紙は画像形成部８１へと搬送される。この一連の動作によって、記録紙は曲線７２で表す搬送経路を通過して、曲線７１で表す搬送経路に途中から合流し、この搬送経路を通過する。これによって記録紙は、第１トレイ５２から画像形成部８１へと搬送される。
【００３４】
手差し給紙部６６から記録紙を供給するとき、まず載置台６７をその底面が略水平になるように設置して、その上に記録紙を載置する。この状態で出力トレイ切換部１０５が呼込みローラ６８を回転させると、載置台６７に載置された記録紙のうちで最も上方に載置された記録紙が、一対の給紙ローラ６９の間にその先端が当接するように搬送される。この状態で一対の給紙ローラ６９を回転させると、記録紙はその一対の搬送ローラ６９の間を通過して、画像形成部８１へと搬送される。この一連の動作によって、記録紙は曲線７３で表す搬送経路を通過して曲線７１で表す搬送経路に途中から合流し、この搬送経路を通過する。これによって、記録紙は、載置台６７から画像形成部８１へと搬送される。
【００３５】
画像形成部８１は、感光体８２、帯電部８３、露光部８４、現像部８５、転写部８６、除電部８７、および清掃部８８を含む。搬送部９１は、一対のレジストローラ９１とサクション９２とを含む。画像形成部８１は、いわゆる電子写真方式、またはＰＰＣ（PLAIN PAPER COPIER）方式によって、記録紙に画像を印刷する。搬送部９１は、給紙部５１または手差し給紙部５２から給紙された記録紙を画像形成部８１に搬送し、さらに画像印刷後の記録紙を画像形成部８１から定着部９５に搬送する。
【００３６】
円筒状の感光体８２は、その底面中心を回転軸線として、円周方向に平行な副走査方向に回転している。帯電部８３、現像部８５、転写部８６、除電部８７、および清掃部８８は、感光体８２の円周に沿って、副走査方向にこの順で配置される。また帯電部８３と現像部８５との間を通過して、感光体８２表面に、露光部８３から発射されたレーザ光が照射される。ＰＰＣ方式では、帯電工程、露光工程、現像工程、転写工程、および除電工程の５つの基本工程と感光体８２を繰返し使用するための清掃工程とを含む６つの工程を繰返すことによって、記録紙に画像を繰返し印刷することができる。
【００３７】
具体的には、画像形成部８１が画像を印刷するとき、まず、帯電部８３によって、感光体８２の表面を一様に帯電させる。露光部８４は、その内部のシーケンスコントローラによって制御され、画像処理部４５から与えられた２値信号である印刷データ信号のビットに応じて、光源８９からのレーザ光の発射と停止が制御される。露光部８４は、光源８９からのレーザ光を時間経過に伴って偏向角度を変化させつつ偏向させて発射し、そのレーザ光によって、感光体８２の帯電済の表面を、円筒の回転軸線に平行な主走査方向に走査する。これによって、感光体８２表面に静電潜像が形成される。現像部８５は、その内部に収納されるトナー剤を感光体８２表面に付着させることによって静電潜像を現像する。これによって、静電潜像がトナー像として顕像化される。
【００３８】
一対のレジストローラ９２は、そのローラ間に給紙部５１または手差し給紙部６６から供給された記録紙を通過させて、感光体８２と転写部８６との間に搬送する。転写部８６は、感光体８２表面のトナー像を、搬送された記録紙に転写する。転写後の記録紙は、サクション９３によって、定着部９５に搬送される。サクションは、たとえば、両端が接続された帯状部材の内側にローラを挿入し、そのローラを回転させることによって帯状部材を移動させ、かつ帯状部材に空気流れによって搬送すべき物体を吸着させるものであり、帯状部材の上に載置された物体がそのまま搬送される。転写後の感光体８２は、除電部８７によってその表面の電荷が除去された後、清掃部８８によって、その表面に残ったトナーを除去して清掃される。清掃後、感光体８２は、帯電工程から清掃工程までの一連の工程を再度実施することができる状態に戻る。
【００３９】
定着部９５は、加熱源９６、一対の加熱ローラ９７、剥離爪９８、および清掃用ローラ１０２，１０３を含む。加熱源９６は、一対の加熱ローラ９７の一方のローラ内部に備えられ、加熱ローラ９７を予め定める温度まで加熱する。搬送部８１によって搬送された記録紙は、一対の加熱ローラ９７間を通過する。このとき、加熱ローラ９７の熱によって記録紙上のトナーが融解し、加熱ローラ９７通過後にトナーが冷えて記録紙に固着する。これによって、トナー像が記録紙に定着される。
【００４０】
加熱後の記録紙は、剥離爪９８によって加熱ローラ９７から剥離されて、筺体１ａの排出口９９から筺体１ａ外部に排出される。また排出口９９にソータ１００が取付けられているとき、剥離後の記録紙は、排出分離部材１０１によってソータ１００の各トレイに収納されるように排出される。また、操作部３０から両面印刷が指示されるとき、記録紙の片面への印刷が終了した段階では、記録紙は排出口またはソータ１００には排出されず、第１トレイ５２に戻される。第１トレイ５２は、この記録紙を裏返して、載置される記録紙のうちの最も上に載置する。記録紙剥離後の一対の加熱ローラ９７は、清掃用ローラ１０２，１０３によって、その表面に付着したトナーが除去される。
【００４１】
中央制御部１０５は、操作部３０、画像読取り部３、画像処理部４５、ソータ１００の挙動を制御し、これらの動作を同期させる。このために、中央制御部１０５は、各部３０，３，４５およびソータ１００との間でシリアル通信を行う。
【００４２】
ファクシミリ制御部４を構成する各種の回路部品は３枚の基板に分けて実装され、主制御基板部材１０６と副制御基板部材１０７と電話制御基板部材１０８とを構成する。主制御基板部材１０６は、ファクシミリ通信の回線制御やファクシミリの各種の機能の制御を行うための回路部品を含む。副制御基板部材１０７は、画像出力部５と主制御基板部材１０６との間の画像データ信号のインタフェイスとして動作する回路部品を含む。また副制御基板部材１０７は、画像出力部５をファクシミリ装置の印刷手段として用いるために、対象信号を画像展開して、画像データ信号を生成するための回路部品も含む。電話制御基板部材１０８は、公衆回線１７，１８とファクシミリ制御部４との物理的な接続と、基本的な電話制御を行うための回路部品を含む。また、電話制御基板部材１０８に関連して、ハンドセット１０９が備えられる。ハンドセット１０９を用いるとき、電話制御基板部材１０８は、公衆回線１７，１８を介して、相手側電話機との間で回線を確立して、音声信号を送受させる。
【００４３】
図４は画像処理部４５の具体的な電気的構成を表すブロック図である。画像処理部４５は、概略的は、信号入力部１１１、信号処理部１１２、信号出力部１１３、およびメモリ１１４を含む。このメモリ１１４は、たとえば前述の画像記憶部１０を兼ねていても良く、別個に準備されてもよい。
【００４４】
信号入力部１１１は、初期処理部１１７、ヒストグラム処理部１１８および誤差拡散処理部１１９を含む。信号入力部１１１は、概略的には、撮像素子４２から出力されたアナログ画像信号をデジタル信号に変換し、その濃度情報を表すヒストグラムをとりながら、誤差拡散法によって２値化して、メモリ１１４に一旦記憶する。
【００４５】
具体的には、撮像素子４２からのアナログ画像信号は初期処理部１１７に与えられる。初期処理部１１７は、アナログ画像信号を構成する各画素の画素データをアナログ／デジタル変換し、さらに、ＭＴＦ補正、白黒補正およびガンマ補正を行う。これによって、各画素データは、たとえば２５６階調、すなわち８ビットのデジタル信号としてヒストグラム処理部へ出力される。ヒストグラム処理部１１８は、初期処理部１１７から出力された画素データを、２５６階調の画素濃度別に加算する。これによって、画像の濃度情報であるヒストグラムデータが得られる。このヒストグラムデータは中央制御部１０５および誤差拡散処理部１１９に与えられる。
【００４６】
誤差拡散処理部１１９では、疑似中間調処理の一種である誤差拡散法を用いて、初期処理部１１７から出力された画素データを２値化する。誤差拡散法は、２値化処理によって発生する誤差を、処理対象の画素に隣接する画素の２値化判定に反映させる方法である。具体的には、誤差拡散処理部１１９は、初期処理部１１７から出力された８ビットのデジタル信号である画素データを２値化して、１ビットのデジタル信号にに変換し、さらに、画像を印刷するときに原稿内の局所領域の濃度を忠実に再現するための再配分演算を行う。誤差拡散処理部１１９によって処理された各画素データは、元の画像信号と同様に集約されて、画像データ信号として、メモリ１１４に記憶される。
【００４７】
信号処理部１１２は、多値化処理部１２１，１２２、合成処理部１２３、濃度変換処理部１２４、変倍処理部１２５、画像プロセス部１２６、誤差拡散処理部１２７、圧縮処理部１２８およびパターンジェネレータ１２９を含む。信号処理部１１２は、概略的には、メモリ１１４に記憶された画像データ信号を、ファクシミリ装置１の操作者が希望する画像を表す印刷データ信号に変換して、再度メモリ１１４に記憶させる。ただし、信号処理部１１２に含まれている各処理部１２１〜１２８は、必要に応じて機能するものであり、たとえば操作部３０からの指示によって休止する場合もある。この場合、その処理部は、入力された信号をそのまま出力する。
【００４８】
具体的には、まず多値化処理部１２１，１２２は、メモリ１１４から誤差拡散処理部１１９で２値化された各画素データを読出し、その画素データを２５６階調を表す画素データに再度変換する。合成処理部１２３は、多値処理部１２１，１２２から出力された画素データとパターンジェネレータ１２９から出力されたビットデータとを合成するために、各画素データ毎に論理演算を選択的に実施する。論理演算は、論理和、論理積、および排他的論理和の演算を含む。
【００４９】
濃度変換処理部１２４には、予め、画像の各画素の濃度を補正するために、原稿の画素の濃度に対する出力画像の画素の濃度の関係を表す階調変換テーブルが記憶されている。濃度変換処理部１２４は、この階調変換テーブルに基づいて、合成処理部１２３から出力された画素データを補正する。変倍処理部１２５は、操作部３０から指示された変倍率に応じて、濃度変換処理部１２４から出力された画素データの集合である画像データ信号が表す画像を拡大または縮小する。具体的には、拡大または縮小後の画像の各画素の濃度を表す画素データを、濃度変換処理部１２４から出力された画素データを用いた補間処理を行うことによって求める。この処理は、たとえば、拡大または縮小後の画像のうちで感光体８２の副走査方向に対応する方向に並ぶ画素について行われた後に、感光体８２の主走査方向に対応する方向に並ぶ画素について行われる。
【００５０】
画像プロセス部１２６は、変倍処理部１２５から出力された画像データ信号に対して、様々な画像処理が行われる。また、この画像データ信号から、特徴抽出などのデータ列に対する情報収集が行われる。誤差拡散処理部１２７は、信号入力部１１１の誤差拡散処理部１１９と同じ処理によって、画像プロセス部１２６から出力された画像データ信号を２値化して、印刷データ信号を作成する。圧縮処理部１２８では、たとえばランレングス符号化によって、印刷データ信号を圧縮する。また、多値化処理部１２１，１２２から誤差拡散処理部１２８までの処理を数回繰返すような場合、圧縮処理部１２８は、最終的に印刷データ信号として画像処理部４５から出力されるべき画像データ信号が作成された時点で動作し、その他のときは休止する。圧縮後の印刷データ信号は、メモリ１１４に記憶される。
【００５１】
信号出力部１１３は復元部１３１、多値化処理部１３２、および誤差拡散処理部１３３を含む。信号出力部１３１は、概略的には、圧縮された状態でメモリ１１４に記憶されている印刷データ信号を復元し、さらに元の２５６階調の信号に再度変換して４値データの誤差拡散を行い、露光部８４にそのデータを与える。具体的には、復元部１３１は、メモリ１１４から圧縮された印刷データ信号を読出して伸長することによって、印刷データ信号を復元する。多値化処理部１３２は、信号処理部１１３の多値化処理部１２１，１２２と同じ処理によって、復元部１３１から出力された印刷データ信号の各画素データを多値化する。誤差拡散処理部１３３は、４値データの誤差拡散法を用いて、多値化処理部１３２から出力された画素データを４値化する。４値データの誤差拡散法は、信号入力部１１１の誤差拡散処理部１１９で行われた２値データの誤差拡散法と類似の処理であり、その結果得られる画素データは、２値データの誤差拡散法によって処理された画素データよりも滑らかな中間調表現を行うことができる。
【００５２】
これら画素データで構成される印刷データ信号は、画像形成部８１の露光部８４に与えられる。露光部８４では、この印刷データ信号の各画素データを、光源８９によるレーザ光の発振／休止を制御するための信号に変換して、光源８９に与える。これによって光源８９は、印刷データ信号の画素データの値に応じて、レーザ光を発振／休止する。
【００５３】
なお、画像データ信号および印刷データ信号は、メモリ１１４の容量を削減するため、基本的には２値化されたデジタルデータの形態でメモリ１１４に記憶され、この形態で信号入力部１１１、信号処理部１１２、および信号出力部１１３に取扱われる。これらデータ信号は、データ信号の劣化を考慮して、４値化されたデジタルデータの形態で記憶しかつ取扱うようにしてもよい。また、画像データ信号に代わって印刷データ信号をファクシミリ制御部４に与えて、この印刷データ信号から対象信号を作成してもよい。
【００５４】
図５は、ファクシミリ通信の基本的な伝送フェイズを説明するための制御フロー図である。図５では、線分１３８，１３９が送信側および受信側ファクシミリ装置を示し、これら線分１３８，１３９間の矢印が、両ファクシミリ装置で送受される信号を表す。この信号は、公衆回線内の各種の装置、たとえば交換機を経由し、そのときに信号に処理が施されることもあるが、その説明は省略する。また、線分１３８，１３９に平行に時間軸が設定されており、矢印で表す信号の送受タイミングは、図面の上側の矢印よりも下側の矢印のほう遅い。この伝送フェイズは、いわゆるバイナリ符号方式の伝送フェイズである。ファクシミリ通信の伝送フェイズは、フェイズＡ〜フェイズＥに分けられる。
【００５５】
フェイズＡは、呼の設定および回線確立を行う過程である。送信側ファクシミリ装置と受信側ファクシミリ装置とが公衆回線に接続された状態で、まず送信側ファクシミリ装置は、受信側ファクシミリ装置に、１１００Ｈｚのトーン信号であるコーリングトーン
（Calling Tone）ＴＥＬを与える。受信側ファクシミリ装置は、コーリングトーンＴＥＬに応答して、２１００Ｈｚのトーン信号である被呼端末識別信号（Called Station
Identification）ＣＥＤを、送信側ファクシミリ装置に与えて、フェイズＡを終了する。これによって、両ファクシミリ装置間で回線が確立される。フェイズＡ終了後、フェイズＢに移る。
【００５６】
フェイズＢは、対象信号の伝送のための前処理の過程である。まず、受信側ファクシミリ装置は、送信側ファクシミリ装置に、デジタル識別信号（Digital Identification
Signal）ＤＩＳ、被呼端末識別信号（Called Subscriber Identification）ＣＳＩ、非標準機能識別信号（Non-Standard Facilition）ＮＳＦを与える。これら信号ＤＩＳ，ＣＳＩ，ＮＳＦに応答して、送信側ファクシミリ装置は、受信側ファクシミリ装置に、非標準機能設定信号（Non-Standard facilities Set-up）ＮＳＳ、送信端末識別信号
（Transmitting Subscriber Identification）ＴＳＩ、トレーニングチェック（Training
Check）ＴＣＦを順次出力する。受信側ファクシミリ装置は、これら信号ＮＳＳ，ＴＳＩ，ＴＣＦに応答して、送信側ファクシミリ装置に、受信準備確認信号（Confirmation
to Receive）ＣＲＦを送信して、フェイズＢを終了する。フェイズＢ終了後、フェイズＣに移る。また、フェイズＢ中に、送信側または受信側ファクシミリ装置に対象信号の送受に拘わる不都合が生じたとき、受信側ファクシミリ装置は、受信準備確認信号ＣＦＲに代わって、対象信号の送受の中止を指示する制御信号を出力して、フェイズＢからフェイズＥに移る。
【００５７】
デジタル識別信号ＤＩＳは、受信側ファクシミリ装置がＣＣＩＴＴ標準の受信機能を有することを表す。被呼端末識別信号ＣＳＩは、国際電話番号によって、受信側ファクシミリ装置を表す。非標準機能識別信号ＮＳＦは、Ｔシリーズ勧告の範囲外にある非標準機能のうちで受信側ファクシミリ装置で実施可能な機能を表示する。非標準機能設定信号ＮＳＳは、非標準機能識別信号ＮＳＦによって表示された非標準機能のうちで、送信側ファクシミリ装置が使用することを選択した機能を示し、この機能の実施を設定するための命令信号である。送信端末識別信号ＴＳＩは、国際電話番号によって、送信側ファクシミリ装置を表す。トレーニングチェックＴＣＦは、受信側ファクシミリ装置に備えられるモデムのトレーニングを確かめ、トレーニングチェックを送信したときの信号の伝送速度でチャネルを使用することができるか否かを確認するための信号である。受信準備確認信号ＣＲＦは、受信側ファクシミリ装置における対象信号を受信する準備が完了し、対象信号の送出を開始してよいことを送信側ファクシミリ装置に示すための応答信号である。
【００５８】
フェイズＣは、対象信号を伝送する過程である。受信準備確認信号ＣＦＲを受信した後、送信側ファクシミリ装置は、受信側ファクシミリ装置に、送信すべき画像を表す対象信号を与える。対象信号は、１頁の画像毎、すなわち画像読取り部３で読取られる原稿１枚毎に作成されており、原稿が複数枚あるとき、同数の対象信号が準備される。各頁の画像を表す対象信号が送信されるたびに、それを示す制御信号が送信される。対象信号の送信と並行して、両ファクシミリ装置間で、送信確認および同期保持等の処理のための制御信号が送受される。対象信号をすべて送信すると、フェイズＣを終了する。フェイズＣ終了後、フェイズＤに移る。
【００５９】
フェイズＤは、対象信号の伝送のための後処理の過程である。対象信号の送信終了後、送信側ファクシミリ装置は、受信側ファクシミリ装置に、手順終了信号（End Of
Procedures）ＥＯＰを与える。この信号に応答して、受信側ファクシミリ装置は、送信側ファクシミリ装置に、メッセージ確認信号ＭＣＦ（Message Confirmation）を与えて、フェイズＤを終了する。フェイズＤ終了後、フェイズＥに移る。手順終了信号ＥＯＰは、対象信号の頁終了と、準備された対象信号のうちで未だ送信されていない対象信号がないことを表す。メッセージ確認信号ＭＣＦは、手順終了信号ＥＯＰの肯定応答であり、対象信号が誤りなく受信されたことを示す。
【００６０】
フェイズＥは、呼の解除および回線切断のための過程である。メッセージ確認信号ＭＣＦを受信した後、またはフェイズＢで出力された中止を指示する制御信号を受信した後、送信側ファクシミリ装置は、受信側ファクシミリ装置に、切断命令信号（Desconnect）ＤＣＮを与えて、該送信側ファクシミリ装置と公衆回線との回線を切断する。受信側ファクシミリ装置は、切断命令信号ＤＣＮに応答して、公衆回線が該受信側ファクシミリ装置との回線を切断して、フェイズＥを終了する。切断命令信号ＤＣＮは、受信側ファクシミリ装置にフェイズＥの開始を指示するための制御信号である。このように、フェイズＡ〜フェイズＥまでの一連の処理手順に基づいて、ファクシミリ通信が実施される。
【００６１】
図６は、通信制御部７で実施される受信動作を説明するためのフローチャートである。通信制御部７は、相手側ファクシミリ装置からの各種の信号を受信可能な待機状態で待機し、この状態で、コーリングトーンＴＥＬが与えられると、ステップａ１からステップａ２に進む。ステップａ２では、送受部１１は、前述のフェイズＡの受信側の処理手順に従って信号を送受することによって、呼の設定および回線の確立を行う。次いで、ステップａ３では、送受部１１は、前述のフェイズＢの受信側の処理手順に従って信号を送受することによって、前処理を行う。この前処理の実施中に、送信端末識別信号ＴＳＩが相手側ファクシミリ装置からファクシミリ装置１に与えられる。
【００６２】
続いて、ステップａ４では、判定部１３は、まず、送信端末識別信号ＴＳＩから、相手側通信機の国際電話番号を抽出する。次いで番号記憶部１２から予め定める国際電話番号を読出し、この読出した国際電話番号と抽出された国際電話番号とが一致するか否かを判定する。両国際電話番号が一致すると判定されたとき、ステップａ４からステップａ５に進み、送受部１１は前述のフェイズＣの受信側の処理手順に従って信号を送受することによって、対象信号を受信する。さらに、対象信号の受信終了後、ステップａ６で、送受部１１は、前述のフェイズＤの受信側の処理手順に従って信号を送受することによって、後処理を行う。後処理終了後、送受部１１はステップａ７で前述のフェイズＥの受信側の処理手順に従って信号を送受することによって回線を切断して、ステップａ８で処理を終了する。
【００６３】
また、ステップａ４で、読出した国際電話番号と抽出された国際電話番号とが一致しないと判定されたとき、ステップａ４から直接ステップａ７に進み、送受部１１によって対象信号を受信することなく、前述のフェイズＥの受信側の処理手順に従って信号を送受することによって回線を切断して、ステップａ８で処理を終了する。
【００６４】
これによって、送受部１１は、番号記憶部１２に記憶された国際電話番号によって識別される相手側ファクシミリ装置からの対象信号をだけ受信し、その他のファクシミリ通信からの対象信号を受信しない。すなわち送受部１１は、番号記憶部１２に国際電話番号が記憶された予め定める相手側ファクシミリ装置以外の不特定多数のファクシミリ装置からの対象信号の受信を自動的に拒否する。これによって、通信部１１および公衆回線１７は、予め定める相手側ファクシミリ装置からの対象信号を受信するための専用の受信手段として動作する。ゆえに、予め定める相手側ファクシミリ装置がファクシミリ装置１に対して対象信号の送信を行う場合、送受部１１は必ず空いているので、即座に相手側ファクシミリ装置からの信号を受信する。
【００６５】
したがって、相手側ファクシミリ装置からファクシミリ装置１へ対象信号が送信されるとき、相手側ファクシミリ装置が送信動作を開始したときから相手側ファクシミリ装置とファクシミリ装置１との間で実際に回線が接続されて送信可能になるときまで送信待ち時間を、従来技術のファクシミリ装置よりも短縮することができる。また、通信制御部８も、図６のフローチャートで説明した手順を用いて受信動作を行うことによって、通信制御部７と同様に、送信待ち時間を短縮することができる。また上述の受信動作は、ファクシミリ装置１に公衆回線が１回線だけ収納されている場合も実施することができる。
【００６６】
また、通信制御部７を上述したように各部１１〜１３を含む構成とし、通信制御部８の各部１５，１６を削除して送受部１４だけを含む構成とすることによって、通信制御部８に識別信号に無関係に対象信号を受信させてもよい。このとき、ファクシミリ装置１では、通信制御部８の送受部１４および公衆回線１８を用いて、不特定多数の相手側ファクシミリ装置との間で対象信号の送受を行うことができる。したがって、このファクシミリ装置１は、通信制御部７を特定の相手側ファクシミリ装置からの対象信号の受信専用の通信制御部として用い、通信制御部８を汎用の通信制御部として用いることができる。
【００６７】
ゆえに、通信制御部８を用いて不特定多数の相手側ファクシミリ装置と対象信号の送受を行う場合も、通信制御部７が空いているので、予め定める相手側ファクシミリ装置からの対象信号をいつでも即座に受信することができる。したがって、このファクシミリ装置では、不特定多数のファクシミリ装置との対象信号の送受を任意に行い、かつ予め定める相手側ファクシミリ装置の送信待ち時間を短縮することができる。これによって、ファクシミリ装置の使い勝手をさらに向上させることができる。また、上述の２つの動作は単一のファクシミリ装置によって実現することができるので、従来技術のように受信専用のファクシミリ装置と送受用のファクシミリ装置とを別個に設ける必要がなくなる。
【００６８】
また、通信制御部７，８で同時に対象信号が受信された場合、回線切換え部９は、予め定める相手側ファクシミリ装置からの対象信号を優先的に画像出力部５に与えて印刷させる。具体的には、まず各判定部１３，１６によって、抽出された国際電話番号と予め定める国際電話番号との一致を調べる。一致する国際電話番号があるとき、回線制御部９は、その国際電話番号を含む送信端末識別信号ＴＳＩを受信した送受部で受信された対象信号を、他の送受部で受信された対象信号に先立って、画像出力部５に与える。また、両判定部１３，１６で国際電話番号が一致しないと判定されたときは、各送受部１１，１４で受信された対象信号を、予め定める順序で出力する。この順序は、たとえば着信順、または予め通信制御部７，８に定められた出力順序順である。
【００６９】
これによって、予め定める相手側ファクシミリ装置から対象信号が送信されるとき、その対象信号を他の不特定多数の相手側ファクシミリ装置からの対象信号よりも優先的に出力することができる。これによって、たとえば、ファクシミリ装置１の公衆回線が混雑している場合、相手側ファクシミリ装置からファクシミリ装置への送信が行われるとき、対象信号が送信された時点から実際に対象信号が出力される時点までの出力待ち時間を短縮することができる。したがって、送信側ファクシミリ装置とファクシミリ装置１との間の通信に要する時間を短縮することができる。
【００７０】
また、上述のように、通信制御部７，８が不特定多数の相手側ファクシミリ装置と対象信号の送受を行う場合、各番号記憶１２，１５に記憶された国際電話番号が異なっていても良い。この場合、回線選択部９は、通信制御部７，８が同時に対象信号を受信すると、それら対象信号を集約して、１つの対象信号として画像記憶部１０に記憶させまた画像出力部５に与えるようにしてもよい。これは、たとえば以下のように利用される。
【００７１】
まず、送信側では、送信すべき原稿を複数に分割し、分割後の各原稿を、番号記憶部１２，１５に記憶された国際電話番号によって識別される複数の相手側ファクシミリ装置によって、ファクシミリ装置１に個別に送信する。これによって、送信側で、原稿を読取って対象信号を作成するために要する時間を、単一のファクシミリ装置を用いて同じ元の原稿を送信する場合と比較して短縮することができる。また、各対象信号の信号量が原稿を一括して読取らせて作成した対象信号よりも少ないので、各送信側ファクシミリ装置から受信手段への対象信号の送信に要する時間を、原稿を一括して読取らせて作成した対象信号をそのまま送信する場合と比較して短縮することができる。
【００７２】
受信側のファクシミリ装置１では、各通信制御部７，８がこの対象信号をほぼ同時に受信する。回線選択部９は、各判定部１３，１６の判定結果に応答して、両判定部で国際電話番号が一致すると判定されたときに、これら対象信号を集約する。これによって、元の原稿を表す対象信号が自動的に作成されるので、後の取扱いは、元の原稿を単一の相手側ファクシミリ装置から送信した場合と等しい。したがって、上述の手順で原稿を送信した場合、相手側ファクシミリ装置とファクシミリ装置１との間の通信に要する時間を短縮することができる。
【００７３】
図７は、本発明の第２実施形態の通信機であるファクシミリ装置１４１の概略的な電気的構成を表すブロック図である。ファクシミリ装置１４１は、第１実施形態のファクシミリ装置１と比較して、ファクシミリ制御部４がファクシミリ制御部１４２に置換えられた点が異なり、他は等しい。また、ファクシミリ装置１４１の具体的な構成および基本的な送信フェイズは、第１実施形態のファクシミリ装置１と等しいので、説明は省略する。ファクシミリ装置１４１のうちでファクシミリ装置１と同一の部品には同一の符号を付し、説明は省略する。
【００７４】
ファクシミリ制御部１４２は、通信制御部１４３，１４４と回線選択部９と画像記憶部１０とを含む。通信制御部１４３，１４４は、送受部１４５，１４６と番号記憶部１５，１６と、判定部１３，１６とを個別に含む。通信制御部１４３に接続される公衆回線１７は、たとえば、相手側ファクシミリ装置との間の回線を形成する。通信制御部１４４に接続される公衆回線１８ａは、たとえばいわゆる構内回線であり、転送側ファクシミリ装置との間の回線を形成する。転送側ファクシミリ装置は、相手側ファクシミリ装置から送信された対象信号の転送先となるべきファクシミリ装置である。
【００７５】
送受部１４５，１４６は、ファクシミリ通信の送信回路と受信回路とを含み、対象信号の送受を行う。通信制御部１４３の送受部１４５は、相手側ファクシミリ装置の国際電話番号が番号記憶部１２に記憶された国際電話番号と一致すると判定部１３で判定された場合、その相手側ファクシミリ装置からの対象信号を、回線選択部を介して通信制御部１４４の送受部１４６に与えて、送受部１４６から転送側ファクシミリ装置に送信させる。
【００７６】
このファクシミリ装置１４１では、たとえば、予め定める相手側ファクシミリ装置の国際電話番号を番号記憶部１２に記憶させ、その相手側ファクシミリ装置からの対象信号を転送すべき部署に備えられる転送側ファクシミリ装置の国際電話番号、たとえば内線番号を、この国際電話番号に対応付けて予め記憶させておく。この状態で、予め定める相手側ファクシミリ装置からファクシミリ装置１４１に対象信号が送信された場合、ファクシミリ装置１４１は、自動的に転送側ファクシミリ装置に対象信号を受信させることができる。
【００７７】
図８は、通信制御部１４３，１４４で実施される受信動作を説明するためのフローチャートである。通信制御部１４３は、相手側ファクシミリ装置からの信号を受信可能な待機状態で待機し、この状態で、相手側ファクシミリ装置からコーリングトーンＴＥＬが与えられると、ステップｂ１からステップｂ２に進み、公衆回線１７を介して回線が接続されたことを確認して、ステップｂ３に進む。ステップｂ３では、送受部１４５は、前述のフェイズＡの受信側の処理手順に従って信号を送受することによって、呼の設定および回線の確立を行う。次いで、ステップｂ４では、送受部１４５は、前述のフェイズＢの受信側の処理手順に従って信号を送受することによって、前処理を行う。この前処理の実施中に、送信端末識別信号ＴＳＩが相手側ファクシミリ装置からファクシミリ装置１４１に与えられる。
【００７８】
続いて、ステップｂ５では、判定部１３は、まず、送信端末識別信号ＴＳＩから、相手側通信機の国際電話番号を抽出する。次いで判定部１３は、番号記憶部１２から予め定める国際電話番号を読出し、この読出した国際電話番号と抽出された国際電話番号とが一致するか否かを判定する。両国際電話番号が一致すると判定されたとき、ステップｂ５からステップｂ６に進み、ステップｂ６〜ｂ１１の転送処理を行う。この転送処理が行われる間、送受部１４５は、フェイズＣ〜Ｅの受信側の処理手順に従って、相手側ファクシミリ装置から送信される対象信号の受信動作を続ける。これによって、送受部１４５は対象信号を受信し、さらに対象信号の受信終了後に、回線を切断する。
【００７９】
転送処理は、具体的には、以下のように行われる。まずステップｂ６で、送受部１４５は送受部１４６を起動させる。送受部１４６は、判定部１３で一致すると判定された国際電話番号に応答して定められる転送側ファクシミリ装置の国際電話番号を取得し、公衆回線１８ａを介して、その転送側ファクシミリ装置に対して発呼する。すなわち転送側ファクシミリ装置に対してコーリングトーンＴＥＬを出力する。次いで、送受部１４６は、ステップｂ７で、前述のフェイズＡの送信側の処理手順に従って信号を送受することによって、呼の設定および回線の確立を行う。転送側ファクシミリ装置は、これに応答して、フェイズＡの呼の設定および回線の確立を行う。次いで、ステップｂ８では、送受部１４６は、前述のフェイズＢの送信側の処理手順に従って信号送受することによって、前処理を行う。
【００８０】
次いでステップｂ９では、送受部１４５で受信された対象信号を送受部１４６に与え、送受部１４６にフェイズＣの送信側の処理手順に従って、この対象信号を転送側ファクシミリ装置に送信させる。さらに、対象信号の送信終了後、ステップｂ１０で、送受部１４６は、前述のフェイズＤの送信側の処理手順に従って信号を送受して、後処理を行う。後処理終了後、送受部１４６は、ステップｂ１１で前述のフェイズＥの送信側の処理手順に従って信号を送受することで回線を切断して、ステップｂ１５で処理を終了する。このように対象信号が転送側ファクシミリ装置に転送されたとき、この対象信号は、転送側ファクシミリ装置の画像出力部で記録紙に印刷される。
【００８１】
また、ステップｂ５で、読出した国際電話番号と抽出された国際電話番号とが一致しないと判定されたとき、ステップｂ４からステップｂ１２に進む。ステップｂ１２では、送受部１４５は前述のフェイズＣの受信側の処理手順に従って信号を送受することによって、対象信号を受信する。さらに、対象信号の受信終了後、ステップｂ１３で、送受部１１は、前述のフェイズＤの受信側の処理手順に従って信号を送受することによって、後処理を行う。後処理終了後、送受部１１は、ステップｂ１４で前述のフェイズＥの受信側の処理手順に従って信号を送受することによって回線を切断して、ステップｂ１５で処理を終了する。このように対象信号が転送されないとき、この対象信号は、ファクシミリ装置１の画像出力部５で記録紙に印刷される。したがって、通信制御部１４３では、番号記憶部１２に記憶された国際電話番号によって識別される相手側ファクシミリ装置からの対象信号を、転送側ファクシミリ装置に自動的に転送する。
【００８２】
これによって、このファクシミリ装置１４１は、予め定める相手側ファクシミリ装置と転送側ファクシミリ装置との間の中継用ファクシミリ装置として動作する。したがって、ファクシミリ装置１４１の操作者が対象信号の転送のための操作を行うことなく、自動的に対象信号の転送が行われる。したがって、ファクシミリ装置１４１を中継用ファクシミリ装置として動作させるために操作者がファクシミリ装置を操作する必要がないので、操作者の操作を簡略化することができる。またこの転送動作は、通信制御部１４４に公衆電話回線１８ａを介して接続されたファクシミリ装置を相手側ファクシミリ装置とみなし、通信制御部１４３に接続されたファクシミリ装置を転送側ファクシミリ装置とみなせば、上述のフローチャートで通信制御部１４３，１４４の動作を入換えるだけで実施することができる。
【００８３】
また、上述のファクシミリ装置１４１では、転送側ファクシミリ装置は、構内回線である公衆回線を介して、ファクシミリ装置１４１に接続されていた。これによって、ファクシミリ装置１４１が公衆回線とは異なる別個の通信経路、いわゆる内線通信用の通信経路を持たない場合でも、このファクシミリ装置１４１と転送側ファクシミリ装置とを接続することができる。したがって、この接続構成では、ファクシミリ装置１４１に内線等の通信経路が備えられていなくても、内線通信用の通信経路を介してファクシミリ装置が接続された場合と同じようにファクシミリ装置を接続して、相互に対象信号を送受することができる。
【００８４】
また、このファクシミリ装置１４１に内線通信用の通信経路が備えられている場合、さらに送受部１４５と内線通信用の通信経路とを接続／遮断するためのリレー回路を備えさせてもよい。この場合、ステップｂ５で国際電話番号が一致していると判定されたとき、送受部１４６を動作させるかわりに、送受部１４５がフェイズＣ〜Ｅの受信側の処理動作に基づいて信号を送受する間、このリレー回路によって送受部１４５と通信経路とを接続して、受信した対象信号を通信経路を介して転送側ファクシミリ装置に与えても良い。このように装置を構成すれば、ファクシミリ装置１４１に公衆回線が１回線だけ収納されている場合も、上述の受信動作を実施することができる。
【００８５】
図９は、本発明の第３実施形態の通信機であるファクシミリ装置１５１の概略的な電気的構成を表すブロック図である。ファクシミリ装置１５１は、第１実施形態のファクシミリ装置１と比較して、ファクシミリ制御部４がファクシミリ制御部１５２に置換えられた点が異なり、他は等しい。また、ファクシミリ装置１５１の具体的な構成および基本的な送信フェイズは、第１実施形態のファクシミリ装置１と等しいので、説明は省略する。ファクシミリ装置１５１のうちでファクシミリ装置１と同一の部品には同一の符号を付し、説明は省略する。
【００８６】
ファクシミリ制御部１５２は、通信制御部１５３，１５４と回線選択部９と画像記憶部１０とを含む。通信制御部１５３，１５４は、送受部１５５，１５６と番号記憶部１５，１６と、判定部１３，１６とを個別に含む。送受部１５５，１５６は、ファクシミリ通信の送信回路と受信回路とを個別に含み、相手側ファクシミリ装置の国際電話番号が番号記憶部１２に記憶された国際電話番号と一致すると判定部１３で判定された場合、その国際電話番号に対応づけて予め定められる専用印字情報を読出し、第１および第２トレイ５２，５３ならびに手差し給紙部６６のうちでこの専用印字情報によって指定されるトレイまたは給紙部から記録紙を画像形成部８１に供給させ、この供給された記録紙に対象信号を印刷させる。
【００８７】
図１０は、通信制御部１５３で実施される受信動作を説明するためのフローチャートである。通信制御部１５３は、相手側通信機からの信号を受信可能な待機状態で待機し、この状態で、コーリングトーンＴＥＬが与えられると、ステップｃ１からステップｃ２に進む。ステップｃ２では、送受部１５５は、前述のフェイズＡの受信側の処理手順に従って信号を送受することによって、呼の設定を行う。次いで、ステップｃ３では、送受部１５５は、前述のフェイズＢの受信側の処理手順に従って信号を送受することによって、前処理を行う。この前処理の実施中に、送信端末識別信号ＴＳＩが相手側ファクシミリ装置からファクシミリ装置１に与えられる。
【００８８】
続いて、ステップｃ４では、判定部１３は、まず、送信端末識別信号ＴＳＩから、相手側通信機の国際電話番号を抽出する。次いで判定部１３は、番号記憶部１２から予め定める国際電話番号を読出し、この読出した国際電話番号と抽出された国際電話番号とが一致するか否かを判定する。両国際電話番号が一致すると判定されたとき、ステップｃ４からステップｃ５に進む。ステップｃ５では、送受部１５５は、その国際電話番号に対応付けられた専用印字情報をたとえば番号記憶部１２から読出し、出力トレイ切換え部１０５ａに、画像選択部９と画像記憶部１０と印刷部２０２とを介して与える。出力トレイ切換え部１０５ａは、この専用印字情報によって指定される第１および第２トレイ５２，５３または手差し給紙部６６から記録紙が供給されるように、供給部２０１のうちで第１および第２トレイ５２，５３の載置部材５４，５５ならびに手差し給紙部６６および給紙部５１の各ローラを選択的に稼働させる。専用印字情報の供給後、ステップｃ５からステップｃ６に進む。
【００８９】
また、ステップｃ４で両国際電話番号が一致しないと判定されたとき、出力トレイ切換え部１０５ａは、画像形成部８１に前記第１および第２トレイ５１，５２および手差し給紙部６６のうちで任意のいずれか１つから記録紙を画像形成部８１に供給されるように、前記載置部材５４，５５および各ローラを選択的に稼働させる。第１および第２トレイ５１，５２および手差し給紙部６６のうちのいずれか１つは、たとえば、ファクシミリ装置１５１の初期設定で定められるもの、またはファクシミリ装置１５１の操作部３０を操作者が操作することによって指定したものが選ばれる。この場合ステップｃ４から直接ステップｃ６に進む。
【００９０】
ステップｃ６では、送受部１５５は、前述のフェイズＣの受信側の処理手順に従って信号を送受することによって、対象信号を受信する。この対象信号は、たとえば受信動作と並行して、画像出力部５で記録紙に印刷される。さらに、対象信号の受信終了後、ステップｃ７で、送受部１５５は、前述のフェイズＤの受信側の処理手順に従って信号を送受することによって、後処理を行う。後処理終了後、送受部１１は、ステップｃ８で前述のフェイズＥの受信側の処理手順に従って信号を送受することによって回線を切断して、ステップｃ９で処理を終了する。
【００９１】
これによって、印刷部２０２では、予め定める相手側ファクシミリ装置からの対象信号を自動的に予め定める種類の記録紙に印刷させることができる。したがって、ファクシミリ装置１５１の操作者が記録紙の種類を切換えるための操作を行うことなく、自動的に記録紙が選択される。ゆえに、操作者の操作を簡略化することができる。これは、たとえば以下のような使用状況で用いられるとよい。
【００９２】
たとえば、相手側ファクシミリ装置が日本国外に設置されている場合、その相手側ファクシミリ装置によって読取られる原稿は、一般的に、インチ系の用紙を使用していることが多い。ゆえに、この相手側ファクシミリ装置の国際電話番号を番号記憶部１２に記憶させ、さらにこの国際電話番号に対応づけてインチ系の記録紙を収納したトレイを選択させるような専用印字情報を記憶させておく。これによって、この相手側ファクシミリ装置から送信された対象信号をインチ系の記録紙に印刷し、他の相手側ファクシミリ装置から送信された対象信号を、たとえばＡ判の記録紙に印刷することができる。
【００９３】
また、このファクシミリ装置１５１で、第１実施形態のファクシミリ装置１で説明したように回線選択部９が通信制御部１５３，１５４が同時に受信した対象信号を集約して１つの対象信号とするようにした場合、通信制御部１５３，１５４の番号記憶部１２，１５に記憶された国際電話番号に対応する記録紙を同じ種類にしておけば、これら受信された対象信号を、同じフォーマットで印刷することができる。
【００９４】
このように、第１〜第３実施形態のファクシミリ装置１，１４１，１５１は、対象信号の送信側である相手側ファクシミリ装置の国際電話番号に応じて、受信動作および出力動作を変更する。これらファクシミリ装置１，１４１，１５１は、複写機のための構成を含むので、画像出力部１０において対象信号の印刷に関して実施可能な処理動作の数が、一般的なファクシミリ装置の画像出力部よりも多い。ゆえに、国際電話番号に応じた受信動作および出力動作を、これら処理動作の実施の有無を含むようにしてもよい。また、第１〜第３実施形態で説明した各種の受信動作および出力動作は、任意に組合されて実施されてもよい。たとえば、単一のファクシミリ装置で３種類の受信動作と２種類の出力動作とを全て実施してもよい。これによって、そのファクシミリ装置の使い勝手をさらに向上させることができる。
【００９５】
たとえば、或る国際電話番号によって識別される相手側ファクシミリ装置から対象信号が送信されたとき、その対象信号を記録紙の両面に印刷するようにしてもよい。これによって、対象信号を印刷する記録紙の消費量を削減することができる。またこのとき、対象信号を複数回繰返し印刷して、対象信号を印刷した記録紙を複数部作成したり、これら記録紙を１部ずつステープル装置で綴じてもよい。このように処理することによって、従来技術のようにファクシミリ装置によって対象信号が印刷された記録紙を複写機でさらに複写して必要な部数の書類を作成するような動作を、国際電話番号に応じて自動的に実施することができる。したがって、国際電話番号、すなわち対象信号の送信元に応じて、自動的に書類の作成手法を変更することができる。
【００９６】
第１〜第３実施形態のファクシミリ装置は、本発明の通信機の例示であり、主要な動作が等しければ、他の様々な形で実施することができる。特に各部の詳細な動作は、同じ処理の結果が得られれば、これに限らず他の動作によって実現されてもよい。また本発明の通信機は、送信側の通信機を識別するための識別信号が対象信号の送信に先立って送信される通信形態であれば、ファクシミリ装置以外の通信機によって実現されてもよい。たとえば発信番号を受信側の電話機に送信するサービスを併用した電話通信で実現され、たとえば留守番電話の記録の有無を発信側の電話番号に応じて切換えるようにしてもよい。
【００９７】
本発明は、次の実施の形態が可能である。
（１）送受するべき対象信号を送信する相手側通信機を識別するための識別信号を受信する受信手段と、
予め定める相手側通信機の識別信号を記憶する記憶手段と、
記憶手段に記憶された識別信号と受信手段によって受信された識別信号とが一致するか否かを判定する判定手段とを含み、
前記受信手段は、判定手段によって識別信号が一致すると判定されたとき、対象信号の受信に関する第１の受信動作を行い、判定手段によって識別信号が一致しないと判定されたとき、第１の受信動作とは異なる第２の受信動作を行うことを特徴とする通信機。
【００９８】
通信機は、たとえば該通信機との間の通信の実施が許容されるような、予め定める相手側通信機の識別信号を、記憶手段に予め記憶している。この識別信号は、通信機がたとえばファクシミリ装置である場合には、送信端末識別信号に含まれる国際電話番号である。通信機は、相手側通信機からの対象信号を受信する場合、対象信号の受信に先立って、相手側通信機からの識別信号と記憶手段に記憶された識別番号とが一致するか否かを判定し、識別信号の一致の有無に応じて、対象信号の受信時の受信手段の受信動作を変更する。
【００９９】
たとえば、本実施形態の通信機が不特定多数の相手側通信機と通信可能であり、予め定める相手側通信機からの対象信号を受信するときだけ予め定める受信動作を行うことを操作者が望んでいる場合、予め、第１受信動作としてこの予め定める受信動作を設定し、第２受信動作に一般的な受信動作を設定しておく。これによって通信機は、予め定める相手側通信機と通信を行うとき、自動的に予め定める受信動作を実施し、不特定多数の相手側通信機のうちで前記予め定める相手側通信機以外のものと通信を行うとき、自動的に一般的な受信動作を実施する。
【０１００】
したがって、予め定める相手側通信機に対する受信動作と、その他の不特定多数の相手側通信機に対する受信動作とを、容易に切換えることができる。また、操作者が識別番号から相手側通信機を見分けて手動で受信動作を変更するような動作を行うことなく、自動的に受信動作を変更することができる。ゆえに、通信機の操作を簡略化することができる。さらにまた、単一の通信機で２通りの受信動作を行うことができるので、前記各受信動作を行うための通信機を個別に準備する必要がない。これによって、対象信号の受信側で準備する通信機の数を減少させることができる。
【０１０１】
通信機は、相手側通信機の識別信号と予め定める識別信号の一致の有無に応答して、受信動作を切換える。これによって、予め定める相手側通信機に対する受信動作と、その他の不特定多数の相手側通信機に対する受信動作とを、自動的かつ容易に切換えることができる。
【０１０２】
（２）送受するべき対象信号を送信する相手側通信機を識別するための識別信号を受信する複数の受信手段と、
予め定める相手側通信機の識別信号を記憶する記憶手段と、
記憶手段に記憶された識別信号と各受信手段によって受信された識別信号とが一致するか否かを判定する判定手段と、
少なくとも１つの受信手段によって受信された識別信号が記憶手段に記憶された識別信号と一致すると判定手段によって判定されたとき、複数の受信手段で受信された対象信号を予め定める第１の出力動作によって出力し、各受信手段によって受信された識別信号が記憶手段に記憶された識別信号と一致しないと判定手段によって判定されたとき、複数の受信手段によって受信された対象信号を第１の出力動作とは異なる予め定める第２の出力動作によって出力する出力手段とを含むことを特徴とする通信機。
【０１０３】
通信機は、たとえば該通信機との間の通信の実施が許容されるような、予め定める相手側通信機の識別信号を、記憶手段に予め記憶している。通信機は、各受信手段によって複数の相手側通信機からの対象信号を個別に受信する場合、対象信号の受信に先立って、相手側通信機からの識別信号と記憶手段に記憶された識別番号とが一致するか否かを判定し、識別信号の一致の有無に応じて、各受信手段によって受信した対象信号の出力動作を変更する。
【０１０４】
たとえば、本実施形態の通信機が不特定多数の相手側通信機と通信可能であり、受信された対象信号のうちに予め定める相手側通信機からの対象信号が含まれるときだけ、予め定める出力動作を行うことを操作者が望んでいる場合、予め、第１受信動作としてこの予め定める出力動作を設定し、第２受信動作に一般的な出力動作を設定しておく。これによって、通信機は、不特定多数の相手側通信機と通信を行う場合、そのうちに予め定める相手側通信機が含まれていれば、自動的に予め定める出力動作を実施し、そのうちに予め定める相手側通信機が含まれていなければ、自動的に一般的な受信動作を行う。
【０１０５】
したがって、予め定める相手側通信機を含む不特定多数の相手側通信機からの対象信号の出力動作と、予め定める相手側通信機を含まない不特定多数の相手側通信機からの対象信号の出力動作とを、容易に切換えることができる。また、操作者が識別番号から各相手側通信機を見分けて手動で出力動作を変更するような動作を行うことなく、自動的に受信動作を変更することができる。ゆえに通信機の操作を簡略化することができる。さらにまた、単一の通信機で２通りの出力動作を行うことができるので、各出力動作を行うための通信機を個別に準備する必要がない。これによって、対象信号の受信側で準備する通信機の数を減少させることができる。
【０１０６】
通信機は、相手側通信機の識別信号と予め定める識別信号の一致の有無に応答して、受信した対象信号の出力動作を切換える。これによって、予め定める相手側通信機を含む不特定多数の通信機からの対象信号の出力動作と、予め定める相手側通信機を含まない不特定多数の相手側通信機からの対象信号の出力動作とを、自動的かつ容易に切換えることができる。
【０１０７】
（３）送受するべき対象信号を送信する相手側通信機を識別するための識別信号を受信する複数の受信手段と、
予め定める相手側通信機の識別信号を記憶する記憶手段と、
記憶手段に記憶された識別信号と、各受信手段によって受信された識別信号とが一致するか否かを判定する判定手段と、
少なくとも１つの受信手段によって受信された識別信号が記憶手段に記憶された識別信号と一致すると判定手段によって判定されたとき、複数の受信手段で受信された対象信号を予め定める第１の出力動作によって出力し、各受信手段によって受信された識別信号が記憶手段に記憶された識別信号と一致しないと判定手段によって判定されたとき、複数の受信手段によって受信された対象信号を第１の出力動作とは異なる予め定める第２の出力動作によって出力する出力手段とを含み、
複数の前記受信手段のうちの少なくとも１つの受信手段は、判定手段によって識別信号が一致すると判定されたとき、対象信号の受信に関する第１の受信動作を行い、判定手段によって識別信号が一致しないと判定されたとき、第１の受信動作とは異なる第２の受信動作を行うことを特徴とする通信機。
【０１０８】
通信機は、前記通信機の複数の受信手段のうちの少なくとも１つの受信手段に、前記通信機の受信手段を適用した装置である。この装置では、全受信手段のうちの少なくとも１つの受信手段が、受信した識別信号に応じて受信動作を切換え、また複数の受信手段のうちで予め定める識別信号を受信した受信手段があるか否かに応じて、各受信手段で受信された対象信号の出力動作を切換える。
【０１０９】
これによって、予め定める相手側通信機に対する受信動作と、その他の不特定多数の相手側通信機に対する受信動作とを、自動的にかつ容易に切換えることができ、さらに、予め定める相手側通信機を含む不特定多数の通信機からの対象信号の出力動作と、予め定める相手側通信機を含まない不特定多数の相手側通信機からの対象信号の出力動作とを、自動的にかつ容易に切換えることができる。したがって、通信機の使い勝手をさらに向上させることができる。
【０１１０】
また、本実施形態の通信機は複数の受信手段を有している。これら受信手段のうちの一部の受信手段だけを上述のように識別信号によって受信動作を切換させ、全受信手段のうちで前記一部の受信手段以外の残余の受信手段は識別信号に無関係に動作させることもできる。このとき、前記残余の受信手段は、不特定多数の相手側通信機から対象信号をそれぞれ受信することができる。これによって、従来技術の一般的な受信動作を行う通信機と、識別信号の一致の有無に応じて受信動作を変更する通信機とを、１体の通信機で兼用することができる。これによって、２通りの受信動作を行う通信機を１体の通信機で実現することができるので、受信側で準備するべき通信機の数を減少させることができる。
【０１１１】
通信機は、相手側通信機の識別信号と予め定める識別信号の一致の有無に応答して、受信した対象信号の出力動作を切換え、さらに複数の受信手段のうちの少なくとも１つで、相手側通信機の識別信号と予め定める識別信号の一致の有無に応答して、受信動作を切換える。これによって、受信動作と出力動作とを容易にかつ自動的に切換えることができるので、通信機の使い勝手をさらに向上させることができる。
【０１１２】
（４）前記第１の受信動作は、前記受信手段に前記相手側通信機との通信を続行して前記対象信号の受信させる動作であり、
前記第２の受信動作は、前記相手側通信機からの前記対象信号を受信することなく前記受信手段に通信を終了させる動作であることを特徴とする通信機。
【０１１３】
第１および第２の受信動作は、上述のような動作である。受信手段では、或る相手側通信機との間で通信が開始されると、まず識別信号を判定し、その識別信号が記憶された識別信号と一致すれば通信を続行して対象信号の受信を行い、識別信号が記憶された識別信号と一致しなければ対象信号の受信動作を行う前に通信を終了する。したがって、この受信手段では、記憶された識別信号によって識別される相手側通信機以外の不特定多数の相手側通信機からの対象信号の受信を、自動的に拒否する。これによって、この受信手段は、記憶された識別信号によって識別される相手側通信機からの対象信号の受信専用の受信手段として動作する。
【０１１４】
したがって、この相手側通信機が、本実施形態の通信機に対して対象信号の送信を行う場合、この受信手段は他の不特定多数の相手側通信機からの対象信号を受信しないので必ず空いており、この相手側通信機からの識別信号および対象信号を即座に受信する。したがって、相手側通信機から通信機への送信が行われるとき、相手側通信機が送信動作を開始した時点から相手側通信機と通信機との間で実際に対象信号が送信可能になる時点まで送信待ち時間を、従来技術の通信機よりも短縮することができる。
【０１１５】
また、通信機は、複数の受信手段のうちの少なくとも１つが、識別信号の一致の有無に応じて通信続行の是非を切換える。この通信機では、複数の受信手段のうちの一部の受信手段だけで上述のように識別信号によって通信続行の是非を切換え、複数の受信手段のうちで前記一部の受信手段以外の残余の受信手段は、識別信号に無関係に動作することもできる。
【０１１６】
これによって、この通信機では、前記残余の受信手段によって、不特定多数の相手側通信機からの対象信号も受信することができる。またこの通信機に送信手段を付加しておけば、この通信機からの対象信号の送信も行うことができる。したがって、本実施形態の通信機は、予め定める相手側通信機からの対象信号の受信専用の通信機と汎用の通信機とを、１体の通信機で兼用することができる。したがって、この通信機を用いて従来技術の通信機と同様に通信を行うことができ、かつさらに特定の相手側通信機の送信待ち時間を短縮することができる。これによって、通信機の使い勝手をさらに向上させることができる。
【０１１７】
通信機は、相手側通信機の識別信号と予め定める識別信号とが一致するとき通信を続行して対象信号の送受を行い、一致しないとき対象信号の受信しないで通信を終了する。これによって、この受信手段は、記憶された識別信号によって識別される相手側通信機からの対象信号を受信するための専用の受信手段として動作する。これによって、この相手側通信機の送信待ち時間を、従来技術の通信機よりも短縮することができる。さらにこの通信機は、予め定める相手側通信機からの対象信号の受信専用の通信機と汎用の通信機とを、１体の通信機で兼用する。したがって、従来技術の通信機と同様に通信を行うことができ、かつさらに特定の相手側通信機の送信待ち時間を短縮することができる。これによって、通信機の使い勝手をさらに向上させることができる。
【０１１８】
（５）前記対象信号を受信可能な転送側通信機に、該対象信号を送信する送信手段をさらに含み、
前記第１の受信動作は、前記相手側通信機から送信された前記対象信号を受信し、送信手段に与えて送信させる動作であり、
前記第２の受信動作は、前記相手側通信機から送信された前記対象信号を受信して出力する動作であることを特徴とする通信機。
【０１１９】
第１および第２の受信動作は、上述のような動作である。受信手段では、或る相手側通信機との間で通信が開始されると、まず識別信号を判定し、その識別信号が記憶された識別信号と一致すれば、対象信号を受信して出力する。識別信号が記憶された識別信号と一致しなければ、対象信号を受信し、その対象信号を送信手段に与えて、転送側通信機に送信させる。したがって、各受信手段では、記憶された識別信号によって識別される相手側通信機からの対象信号を、転送側通信機に自動的に転送する。
【０１２０】
これによって、この通信機は、記憶された識別信号によって識別される相手側通信機と転送側通信機との間の中継用通信機として動作する。したがって、本実施形態の通信機の操作者が対象信号の転送のための操作を行うことなく、自動的に対象信号の送信が行われる。したがって、本実施形態の通信機を中継用通信機として動作させるために操作者が通信機を操作する必要がないので、操作者の操作を簡略化することができる。
【０１２１】
通信機は、相手側通信機の識別信号と予め定める識別信号とが一致しないときそのまま出力させ、一致するとき対象信号を転送側通信機に転送させる。したがって、各受信手段では、記憶された識別信号によって識別される相手側通信機からの対象信号を、転送側通信機に自動的に転送する。これによって、対象信号を転送するときの操作者の操作を簡略化することができる。
【０１２２】
（６）前記対象信号を受信可能な転送側通信機に、該対象信号を送信する送信手段をさらに含み、
前記第１の受信動作は、前記相手側通信機から送信された前記対象信号を受信し、送信手段に与えて送信させる動作であり、
前記第２の受信動作は、前記相手側通信機から送信された前記対象信号を受信し、前記出力手段に与える動作であることを特徴とする通信機。
【０１２３】
第１および第２の受信動作が上述のような動作である。ゆえに通信機は、複数の受信手段のうちの少なくとも１つが、識別信号の一致の有無に応じて転送側通信機への対象信号の転送の有無を切換える。またこの通信機では、複数の受信手段のうちの一部の通信機だけを上述のように識別信号によって対象信号の転送の有無を切換え、残余の受信手段は、識別信号に無関係に動作して不特定多数の相手側通信機からの対象信号をそのまま出力することもできる。
【０１２４】
これによって、この通信機では、残余の受信手段によって、不特定多数の相手側通信機からの対象信号を全て出力することができる。したがって、本実施形態の通信機は、予め定める相手側通信機からの対象信号の中継専用の通信機と汎用の通信機とを、１体の通信機で兼用することができる。したがって、この通信機を用いて従来技術の通信機と同様に通信を行うことができ、かつさらに転送操作のための操作を簡略化することができる。これによって、通信機の使い勝手をさらに向上させることができる。
【０１２５】
通信機は、予め定める相手側通信機からの対象信号の中継専用の通信機と汎用の通信機とを、１体の通信機で兼用する。したがって、従来技術の通信機と同様に通信を行うことができ、かつさらに転送操作のための操作を簡略化することができる。これによって、通信機の使い勝手をさらに向上させることができる。
【０１２６】
（７）前記対象信号を記録紙に印刷する印刷手段と、
形状および大きさが異なる複数種類の記録紙のうちのいずれか１種類の記録紙を印刷手段に供給する供給手段とをさらに含み、
前記第１の受信動作は、前記相手側通信機から送信された前記対象信号を受信し、複数種類の記録紙のうちで予め定める種類の記録紙を供給手段から印刷手段に供給させ、かつ印刷手段によって、供給された記録紙に該対象信号を印刷させる動作であり、
前記第２の受信動作は、前記相手側通信機から送信された前記対象信号を受信し、複数種類の記録紙のうちのいずれか１種類の記録紙を供給手段から印刷手段に供給させ、かつ印刷手段によって、供給された記録紙に該対象信号を印刷させる動作であることを特徴とする通信機。
【０１２７】
第１および第２の受信動作は、上述のような動作である。受信手段では、或る相手側通信機との間で通信が開始されると、まず識別信号を判定し、その識別信号が記憶された識別信号と一致すれば、供給手段によって予め定める種類の記録紙を印刷手段に供給させる。識別信号が記憶された識別信号と一致しなければ、供給手段に複数の種類の記録紙のうちの任意の１種類の記録紙を印刷手段に供給させる。印刷手段には受信手段から対象信号が供給され、供給手段から供給された記録紙に対象信号を印刷する。したがって、記憶された識別信号によって識別される相手側通信機からの対象信号が、自動的に予め定める種類の記録紙に印刷される。したがって、本実施形態の通信機の操作者が記録紙の種類を切換えるための操作を行うことなく、自動的に記録紙が選択される。ゆえに、操作者の操作を簡略化することができる。
【０１２８】
また、通信機は、複数の受信手段のうちの少なくとも１つが、識別信号の一致の有無に応じて対象信号を印刷すべき記録紙の種類を切換える。またこの通信機は、複数の受信手段のうちの一部の受信手段だけで上述のように識別信号に応じて記録紙を選択させ、残余の受信手段では識別信号に無関係に記録紙を選択させるようにすることもできる。
【０１２９】
したがって、本実施形態の通信機は、予め定める相手側通信機からの対象信号を予め定める種類の記録紙に印刷させる通信機と汎用の通信機とを、１体の通信機で兼用することができる。したがって、この通信機を用いて従来技術の通信機と同様に通信を行うことができ、かつさらに記録紙の選択のための操作を簡略化することができる。これによって、通信機の使い勝手をさらに向上させることができる。
【０１３０】
通信機は、相手側通信機の識別信号と予め定める識別信号とが一致するとき予め定める種類の記録紙に対象信号を印刷し、一致しないとき任意の種類の記録紙に対象信号を印刷する。したがって、本実施形態の通信機の操作者が記録紙の種類を切換えるための操作を行うことなく、自動的に記録紙が選択される。ゆえに、操作者の操作を簡略化することができる。さらにこの通信機は、所定の相手側通信機からの対象信号を所定の種類の記録紙に印刷させる通信機と汎用の通信機とを、１体の通信機で兼用する。したがって、従来技術と同様に通信を行うことができ、かつさらに記録紙の選択のための操作を簡略化することができる。これによって、通信機の使い勝手をさらに向上させることができる。
【０１３１】
（８）前記第１の出力動作は、複数の前記受信手段のうちで前記記憶手段に記憶された識別信号と一致した識別信号を受信した受信手段によって受信された前記対象信号を、複数の前記受信手段のうちで前記一致した識別信号を受信した受信手段以外の残余の受信手段によって受信された前記対象信号に先立って出力する動作であり、
前記第２の出力動作は、各受信手段によって受信された対象信号を、予め定める順序で出力する動作であることを特徴とする通信機。
【０１３２】
第１および第２の出力動作は、上述のような動作である。複数の受信手段が同時に通信を開始した場合、出力手段は、まず各受信手段で受信された識別信号と記憶された識別信号との一致を調べ、一致する識別信号があるとき、その識別信号を受信した受信手段で受信された対象信号を、全受信手段のうちで前記識別信号を受信した受信手段以外の残余の受信手段で受信された対象信号に先立って出力する。また、全受信手段で受信された識別信号が記憶された識別信号と一致しないとき、各受信手段で受信された対象信号を、予め定める順序で出力する。
【０１３３】
これによって、予め定める相手側通信機から対象信号が送信されるとき、その対象信号を他の不特定多数の相手側通信機からの対象信号よりも優先的に出力する。これによって、予め定める相手側通信機から通信機への送信が行われるとき対象信号が受信された時点から実際に対象信号が出力される時点までの出力待ち時間を短縮することができる。したがって、相手側通信機と通信機との間の通信に要する時間を短縮することができる。
【０１３４】
通信機は、いずれか１つの受信手段で受信された識別信号と予め定める識別信号とが一致するとき、その識別信号を受信した受信手段で受信された対象信号を残余の受信手段で受信された対象信号に先立って出力する。これによって、予め定める相手側通信機から対象信号が送信されるとき、その対象信号を他の不特定多数の相手側通信機からの対象信号よりも優先的に出力される。これによって、相手側通信機からの対象信号の出力待ち時間を短縮することができる。
【０１３５】
（９）前記記憶手段には、複数の相手側通信機の識別信号が記憶されており、
前記第１の出力動作は、複数の前記受信手段のうちで前記記憶手段に記憶された識別信号と一致した識別信号を受信した受信手段によって受信された対象信号を集約して出力する動作であり、
前記第２の出力動作は、各受信手段によって受信された対象信号を個別に出力する動作であることを特徴とする通信機。
【０１３６】
第１および第２の出力動作は、上述のような動作である。複数の受信手段が同時に通信を開始した場合、出力手段は、まず各受信手段で受信された識別信号と記憶された複数の識別信号のうちのいずれかとの一致を調べ、複数の受信手段で受信された識別信号と記憶された識別信号のいずれかとが一致するとき、それら受信手段で受信された対象信号を集約して出力する。また、全受信手段で受信された識別信号が記憶された全ての識別信号と一致しないとき、各受信手段で受信された対象信号を、個別に出力する。これによって、複数の予め定める相手側通信機から同時に対象信号が送信されるとき、本実施形態の通信機でそれら対象信号を集約して単一の対象信号とすることができる。
【０１３７】
この通信機は、たとえば以下の手順で使用される。この通信機に対して或る対象信号を送信しようとする場合、相手側の操作者は識別信号が本実施形態の通信機に記憶されている相手側通信機を複数準備し、送信対象の対象信号を複数の信号に分割して、分割後の各信号をそれぞれ対象信号として、各相手側通信機に個別に送信させる。このとき各相手側通信機を並列に動作させれば、受信側通信機では、各受信手段で受信された対象信号を集約するので、元の対象信号が復元される。したがって、上述の手順で原稿を送信した場合、各相手側通信機から受信手段への対象信号の送信に要する時間を、元の或る対象信号をそのまま送信する場合と比較して短縮することができる。
【０１３８】
またたとえば、相手側通信機で原稿を読取って対象信号を作成する場合、相手側通信機で対象信号を複数の分割して送信するには、予め原稿を複数に分割し、各相手側通信機に分割後の各原稿を読取らせて対象信号を作成させて、それら対象信号を送信させる。このとき、各相手側通信機で読取るべき原稿の枚数または面積が、元の原稿の枚数または面積よりも少ないので、各相手側通信機での原稿の読取りに要する時間を、元の対象信号を一括して読取って送信する場合と比較して、短縮することができる。したがって、相手側通信機で原稿を読取り始めた時点から本実施形態の通信機で対象信号を出力する時点までの時間、すなわち相手側通信機と通信機との間の通信に要する時間を、短縮することができる。
【０１３９】
通信機は、複数の受信手段で受信された識別信号と予め定める複数の識別信号とが一致するとき、それら受信手段で受信された対象信号を集約して、単一の対象信号として出力する。これによって、複数の予め定める相手側通信機から同時に対象信号が送信されるとき、本実施形態の通信機でそれら対象信号を集約して単一の対象信号とすることができる。これによって、各相手側通信機での原稿の読取り時間、および各相手側通信機から受信手段への対象信号の送信に要する時間を短縮することができる。したがって、相手側通信機と通信機との間の通信に要する時間を短縮することができる。
【図面の簡単な説明】
【０１４０】
【図１】本発明の第１実施形態の通信機であるファクシミリ装置１の概略的な構成を説明するためのブロック図である。
【図２】ファクシミリ装置１の基本的な電気的および機械的構成を示すブロック図である。
【図３】ファクシミリ装置１の具体的な機械的構成を示す断面図である。
【図４】画像処理部４５の具体的な電気的構成を示すブロック図である。
【図５】ファクシミリ装置１の基本的な伝送フェイズを説明するための図である。
【図６】ファクシミリ装置１の受信動作を説明するためのフローチャートである。
【図７】本発明の第２実施形態の通信機であるファクシミリ装置１４１の概略的な構成を説明するためのブロック図である。
【図８】ファクシミリ装置１４１の受信動作を説明するためのフローチャートである。
【図９】本発明の第３実施形態の通信機であるファクシミリ装置１５１の概略的な構成を説明するためのブロック図である。
【図１０】ファクシミリ装置１５１の受信動作を説明するためのフローチャートである。
【符号の説明】
【０１４１】
１，１４１，１５１  ファクシミリ装置
３  画像読取り部
４  ファクシミリ制御部
５  画像出力部
９  回線選択部
１１，１４；１４５，１４６；１５５，１５６  送受部
１２，１５  番号記憶部
１３，１６  判定部
２０１  供給部
２０２  印刷部
５１  給紙部
５２  第１トレイ
５３  第２トレイ
６６  手差し給紙部
８１  画像形成部
９５  定着部
１０５ａ  出力トレイ切換部
【図１】
2006067629.tif 000003
【図２】
2006067629.tif 000004
【図３】
2006067629.tif 000005
【図４】
2006067629.tif 000006
【図５】
2006067629.tif 000007
【図６】
2006067629.tif 000008
【図７】
2006067629.tif 000009
【図８】
2006067629.tif 000010
【図９】
2006067629.tif 000011
【図１０】
2006067629.tif 000012
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
相手側通信装置から識別信号を受信して、該受信された相手側通信装置からの識別信号と予め記憶された識別信号とが一致したとき、予め定めた出力動作を行う通信装置において、
前記出力動作は、前記識別信号に続いて受信された画像データ信号を複数回繰り返して印刷し、画像データ信号を印刷した記録紙を複数部作成するものであることを特徴とする通信装置。
【請求項２】
前記繰り返し印刷後に、１部ずつ綴じ処理を行うことを特徴とする請求項１記載の通信装置。
【請求項３】
相手側通信装置から識別信号を受信して、該受信された相手側通信装置からの識別信号と予め記憶された識別信号とが一致したとき、予め定めた出力動作を行う通信装置において、
前記出力動作は、前記識別信号に続いて受信された画像データ信号を記録紙の両面に印刷するものであることを特徴とする通信装置。
【手続補正３】
【補正対象書類名】明細書
【補正対象項目名】０００１
【補正方法】変更
【補正の内容】
【０００１】
本発明は、複数の公衆回線が接続され、回線を切換えて信号の送受を行うことができる通信装置に関する。
【手続補正４】
【補正対象書類名】明細書
【補正対象項目名】０００５
【補正方法】変更
【補正の内容】
【０００５】
本発明の目的は、ファクシミリ装置を含む通信装置において、操作手順を簡略化し、また送信待ち時間を含み通信に要する時間を短縮することができる通信装置を提供することである。
【手続補正５】
【補正対象書類名】明細書
【補正対象項目名】０００６
【補正方法】変更
【補正の内容】
【０００６】
本発明は、相手側通信装置から識別信号を受信して、該受信された相手側通信装置からの識別信号と予め記憶された識別信号とが一致したとき、予め定めた出力動作を行う通信装置において、
前記出力動作は、前記識別信号に続いて受信された画像データ信号を複数回繰り返して印刷し、画像データ信号を印刷した記録紙を複数部作成するものであることを特徴とする通信装置である。
【手続補正６】
【補正対象書類名】明細書
【補正対象項目名】０００７
【補正方法】変更
【補正の内容】
【０００７】
また本発明は、前記繰り返し印刷後に、１部ずつ綴じ処理を行うことを特徴とする。
【手続補正７】
【補正対象書類名】明細書
【補正対象項目名】０００８
【補正方法】変更
【補正の内容】
【０００８】
また本発明は、相手側通信装置から識別信号を受信して、該受信された相手側通信装置からの識別信号と予め記憶された識別信号とが一致したとき、予め定めた出力動作を行う通信装置において、
前記出力動作は、前記識別信号に続いて受信された画像データ信号を記録紙の両面に印刷するものであることを特徴とする通信装置である。
【手続補正８】
【補正対象書類名】明細書
【補正対象項目名】００１０
【補正方法】変更
【補正の内容】
【００１０】
以上のように本発明によれば、通信装置は、相手側の通信装置からの識別信号と予め記憶された識別信号とが一致するとき、前記識別信号に続いて受信された画像データ信号を複数回繰り返して印刷し、画像データ信号を印刷した記録紙を複数部作成することを特徴とする。このように処理することによって、従来技術のようにファクシミリ装置によって印刷された記録紙を複写機でさらに複写して必要な部数の書類を作成するような動作を、
自動的に実施することができる。したがって、対象信号の送信元に応じて、自動的に書類の作成手法を変更することができる。
【手続補正９】
【補正対象書類名】明細書
【補正対象項目名】００１１
【補正方法】変更
【補正の内容】
【００１１】
さらにまた本発明によれば、繰り返し印刷後に、複数部の記録紙を１部ずつ綴じ処理することを特徴とする。このように処理することによって、従来技術のようにファクシミリ装置によって印刷された記録紙を１部ずつステープルなどで綴じるような動作を、自動的に実施することができる。したがって、対象信号の送信元に応じて、自動的に書類の作成手法を変更することができる。
【手続補正１０】
【補正対象書類名】明細書
【補正対象項目名】００１２
【補正方法】変更
【補正の内容】
【００１２】
さらにまた本発明によれば、通信装置は、相手側の通信装置からの識別信号と予め記憶された識別信号とが一致するとき、前記識別信号に続いて受信された画像データ信号を記録紙の両面に印刷することを特徴とする。このように処理することによって、印刷する記録紙の消費量を削減することができる。したがって、対象信号の送信元に応じて、自動的に書類の作成手法を変更することができる。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
図１は、本発明の第１実施形態の通信装置であるファクシミリ装置１の概略的な電気的構成を表すブロック図である。このファクシミリ装置１は、原稿を読取ってその読取り結果を印刷する複写機を兼ねる。ファクシミリ装置１は、画像読取り部３と、ファクシミリ制御部４と、画像出力部５とを含む。ファクシミリ制御部４は、公衆回線１７，１８を収納しており、通信制御部７，８と、回線選択部９と、画像記憶部１０とを含む。通信制御部７は、送受部１１と、番号記憶部１２と、判定部１３とを含む。通信制御部８は、送受部１４と、番号記憶部１５と、判定部１６とを含む。
【手続補正１３】
【補正対象書類名】明細書
【補正対象項目名】００７３
【補正方法】変更
【補正の内容】
【００７３】
図７は、本発明の第２実施形態の通信装置であるファクシミリ装置１４１の概略的な電気的構成を表すブロック図である。ファクシミリ装置１４１は、第１実施形態のファクシミリ装置１と比較して、ファクシミリ制御部４がファクシミリ制御部１４２に置換えられ
た点が異なり、他は等しい。また、ファクシミリ装置１４１の具体的な構成および基本的な送信フェイズは、第１実施形態のファクシミリ装置１と等しいので、説明は省略する。ファクシミリ装置１４１のうちでファクシミリ装置１と同一の部品には同一の符号を付し、説明は省略する。
【手続補正１４】
【補正対象書類名】明細書
【補正対象項目名】００８５
【補正方法】変更
【補正の内容】
【００８５】
図９は、本発明の第３実施形態の通信装置であるファクシミリ装置１５１の概略的な電気的構成を表すブロック図である。ファクシミリ装置１５１は、第１実施形態のファクシミリ装置１と比較して、ファクシミリ制御部４がファクシミリ制御部１５２に置換えられた点が異なり、他は等しい。また、ファクシミリ装置１５１の具体的な構成および基本的な送信フェイズは、第１実施形態のファクシミリ装置１と等しいので、説明は省略する。ファクシミリ装置１５１のうちでファクシミリ装置１と同一の部品には同一の符号を付し、説明は省略する。
【手続補正１５】
【補正対象書類名】明細書
【補正対象項目名】００９６
【補正方法】変更
【補正の内容】
【００９６】
第１〜第３実施形態のファクシミリ装置は、本発明の通信装置の例示であり、主要な動作が等しければ、他の様々な形で実施することができる。特に各部の詳細な動作は、同じ処理の結果が得られれば、これに限らず他の動作によって実現されてもよい。また本発明の通信機は、送信側の通信機を識別するための識別信号が対象信号の送信に先立って送信される通信形態であれば、ファクシミリ装置以外の通信機によって実現されてもよい。たとえば発信番号を受信側の電話機に送信するサービスを併用した電話通信で実現され、たとえば留守番電話の記録の有無を発信側の電話番号に応じて切換えるようにしてもよい。
【手続補正１６】
【補正対象書類名】明細書
【補正対象項目名】０１４０
【補正方法】変更
【補正の内容】
【０１４０】
【図１】本発明の第１実施形態の通信装置であるファクシミリ装置１の概略的な電気的構成を表すブロック図である。
【図２】ファクシミリ装置１の基本的な電気的および機械的構成を示すブロック図である。
【図３】ファクシミリ装置１の具体的な機械的構成を示す断面図である。
【図４】画像処理部４５の具体的な電気的構成を示すブロック図である。
【図５】ファクシミリ装置１の基本的な伝送フェイズを説明するための図である。
【図６】ファクシミリ装置１の受信動作を説明するためのフローチャートである。
【図７】本発明の第２実施形態の通信装置であるファクシミリ装置１４１の概略的な電気的構成を表すブロック図である。
【図８】ファクシミリ装置１４１の受信動作を説明するためのフローチャートである。
【図９】本発明の第３実施形態の通信装置であるファクシミリ装置１５１の概略的な電気的構成を表すブロック図である。
【図１０】ファクシミリ装置１５１の受信動作を説明するためのフローチャートである。